(57)【要約】【課題】放送局の設定登録に係るユーザの負担をより確実に低減する。【解決手段】選局装置は複数の放送局に対して設定される設定情報を含む選局テーブルを保持する記憶部２３と、選局操作を含む様々な入力を行う操作部２６と、記憶部２３に保持される選局テーブルから操作部の選局操作に応じて設定情報を選択し、この設定情報によって特定される放送局から受信される電波を復調するチューナ部２５と、ＨＤＭＩケーブルで接続される外部機器と通信を行う通信制御部２１と、外部機器との通信リンクの確立を検出して通信制御部２１により送受信されるコマンドを処理するコマンド処理部２２とを備え、コマンド処理部２２は外部機器との通信リンクが記憶部２３に保持される選局テーブルの無い状態で確立したことを確認して外部機器に選局テーブルを要求し、この要求に対する応答があった場合に外部機器から選局テーブルを取得して記憶部２３に格納するように構成される。【選択図】    図１
2009016955.tif 000002
【特許請求の範囲】
【請求項１】
複数の放送局に対して設定される設定情報を含む選局テーブルを保持する記憶部と、選局操作を含む様々な入力を行う操作部と、前記記憶部に保持される選局テーブルから前記操作部の選局操作に応じて設定情報を選択し、この設定情報によって特定される放送局から受信される電波を復調するチューナ部と、ＨＤＭＩケーブルで接続される外部機器と通信を行う通信制御部と、前記外部機器との通信リンクの確立を検出して前記通信制御部により送受信されるコマンドを処理するコマンド処理部とを備え、前記コマンド処理部は前記外部機器との通信リンクが前記記憶部に保持される前記選局テーブルの無い状態で確立したことを確認して前記外部機器に選局テーブルを要求し、この要求に対する応答があった場合に前記外部機器から前記選局テーブルを取得して前記記憶部に格納するように構成されることを特徴とする選局装置。
【請求項２】
前記チューナ部の復調により得られた放送映像を記録するビデオレコーダに組み込まれることを特徴とする請求項１に記載の選局装置。
【請求項３】
前記外部機器は前記ビデオレコーダで再生される記録映像を表示するテレビであることを特徴とする請求項３に記載の選局装置。
【請求項４】
前記コマンド処理部は前記外部機器との通信リンクが前記記憶部に保持される前記選局テーブルの在る状態で確立したことを確認して前記外部機器に選局テーブルの設定を要求し、この要求に対して選局テーブルの設定を受け入れる応答があった場合に前記記憶部から前記選局テーブルを読出して前記外部機器へ転送するように構成されることを特徴とする請求項１に記載の選局装置。
【請求項５】
複数の放送局に対して設定される設定情報を含む選局テーブルを保持する記憶部と、選局操作を含む様々な入力を行う操作部と、前記記憶部に保持される選局テーブルから前記操作部の選局操作に応じて設定情報を選択し、この設定情報によって特定される放送局から受信される電波を復調するチューナ部と、ＨＤＭＩケーブルの接続に伴って外部のテレビと通信を行う通信制御部と、前記テレビとの通信リンクの確立を検出して前記通信制御部により送受信されるコマンドを処理するコマンド処理部とを備え、前記コマンド処理部は前記テレビとの通信リンクが前記記憶部に保持される前記選局テーブルの無い状態で確立したことを確認して前記テレビに選局テーブルを要求し、この要求に対する応答があった場合に前記テレビから前記選局テーブルを取得して前記記憶部に格納するように構成されると共に、前記ＨＤＭＩケーブルで追加接続される前記テレビ以外の外部機器との通信リンクが前記記憶部に保持される前記選局テーブルの在る状態で確立したことを確認して前記外部機器に選局テーブルの設定を要求し、この要求に対して選局テーブルの設定を受け入れる応答があった場合に前記記憶部から前記選局テーブルを読出して前記外部機器へ転送するように構成されることを特徴とする選局装置。
【請求項６】
前記チューナ部の復調により得られた放送映像を記録するビデオレコーダに組み込まれることを特徴とする請求項５に記載の選局装置。
【請求項７】
前記外部機器は前記ビデオレコーダで再生される記録映像を表示する第２のテレビであることを特徴とする請求項６に記載の選局装置。
【請求項８】
前記外部機器は前記テレビに表示させる記録映像を再生する第２のビデオレコーダであることを特徴とする請求項６に記載の選局装置。
【発明の詳細な説明】
【技術分野】
【０００１】
本発明は、一般に様々な放送局からの放送映像を記録するビデオレコーダに関し、特にHigh-Definition multimedia Interface(ＨＤＭＩ)ケーブルでテレビに接続可能なビデオレコーダに設けられる選局装置に関する。
【背景技術】
【０００２】
近年では、ＡＶ機器の技術が著しく発展し、放送映像を内蔵のハードディスクに記録するビデオレコーダも登場している。また、ビデオレコーダとテレビとは１本のＨＤＭＩケーブルで接続可能になっている。このケーブルは複数の信号線をバンドルしたもので、映像および音声に加えてベンダー独自のConsumer electronic control(ＣＥＣ)機能の信号伝送も可能なことから急速に普及しつつある。
【０００３】
一般に、ビデオレコーダは様々な放送局から送信される電波を選択的に受信して復調するために選局装置を備え、この選局装置に対して行われる操作に従って放送局を選択する。選局装置は予めビデオレコーダの設置場所で受信可能な放送局を把握する必要があるため、ユーザはビデオレコーダの設置後に放送局の設定登録を選局装置に対して行うことを求められている。選局装置は、この設定登録の結果として作成される選局テーブルを保持し、この選局テーブルを放送局の選択時に参照する。
【０００４】
従来、テレビやビデオレコーダのようなＡＶ機器がホームＡＶネットワークで接続される環境がある場合に、テレビに対して行った設定登録の結果を他のＡＶ機器にも転送してユーザの手間を省くことが提案されている(例えば特許文献１を参照）。
【特許文献１】特開２００７−６２４５公報
【発明の開示】
【発明が解決しようとする課題】
【０００５】
しかしながら、ホームＡＶネットワークはＨＤＭＩケーブルによるＡＶ機器の相互接続ほど普及していない。このネットワーク環境が整っていない状況では、特許文献１の技術は利用することができず、ユーザがビデオレコーダの選局装置に対する放送局の設定登録をテレビとは別に行う必要があった。  
本発明はこのような課題に鑑みてなされたものであり、放送局の設定登録に係るユーザの負担をより確実に低減できる選局装置を提供することを目的とする。
【課題を解決するための手段】
【０００６】
本発明の１観点によれば、複数の放送局に対して設定される設定情報を含む選局テーブルを保持する記憶部と、選局操作を含む様々な入力を行う操作部と、記憶部に保持される選局テーブルから操作部の選局操作に応じて設定情報を選択し、この設定情報によって特定される放送局から受信される電波を復調するチューナ部と、ＨＤＭＩケーブルで接続される外部機器と通信を行う通信制御部と、外部機器との通信リンクの確立を検出して通信制御部により送受信されるコマンドを処理するコマンド処理部とを備え、コマンド処理部は外部機器との通信リンクが記憶部に保持される選局テーブルの無い状態で確立したことを確認して外部機器に選局テーブルを要求し、この要求に対する応答があった場合に外部機器から選局テーブルを取得して記憶部に格納するように構成されることを特徴とする選局装置。
【０００７】
本発明の２観点によれば、複数の放送局に対して設定される設定情報を含む選局テーブルを保持する記憶部と、選局操作を含む様々な入力を行う操作部と、記憶部に保持される選局テーブルから操作部の選局操作に応じて設定情報を選択し、この設定情報によって特定される放送局から受信される電波を復調するチューナ部と、ＨＤＭＩケーブルの接続に伴って外部のテレビと通信を行う通信制御部と、テレビとの通信リンクの確立を検出して通信制御部により送受信されるコマンドを処理するコマンド処理部とを備え、コマンド処理部はテレビとの通信リンクが記憶部に保持される選局テーブルの無い状態で確立したことを確認してテレビに選局テーブルを要求し、この要求に対する応答があった場合にテレビから選局テーブルを取得して記憶部に格納するように構成されると共に、ＨＤＭＩケーブルで追加接続される既接続のテレビ以外の外部機器との通信リンクが記憶部に保持される選局テーブルの在る状態で確立したことを確認して外部機器に選局テーブルの設定を要求し、この要求に対して選局テーブルの設定を受け入れる応答あった場合に記憶部から選局テーブルを読出して外部機器へ転送するように構成される選局装置が提供される。
【発明の効果】
【０００８】
これら選局装置では、コマンド処理部がテレビのような外部機器との通信リンクが記憶部に保持される選局テーブルの無い状態で確立したことを確認して外部機器に選局テーブルを要求し、この要求に対する応答があった場合に外部機器から選局テーブルを取得して記憶部に格納するように構成される。外部機器について放送局の設定登録を行っていれば、外部機器がこの設定登録の結果として作成される選局テーブルを保持しているため、外部機器の選局テーブルが自動的に選局装置の記憶部にも格納される。また、ＨＤＭＩケーブルは急速に普及しつつあるため、ホームＡＶネットワークよりも機器接続に利用される機会も多い。従って、放送局の設定登録を選局装置に対して行う必要を無くして、放送局の設定登録に係るユーザの負担をより確実に低減できる。  
【発明を実施するための最良の形態】
【０００９】
以下、本発明の一実施形態に係るビデオレコーダ用選局装置について添付図面を参照して説明する。
【００１０】
図１はこの選局装置の回路構成を示す。この選局装置は例えばテレビ１０に記録映像を表示させるハードディスク（ＨＤＤ）ビデオレコーダ２０に組み込まれるものである。テレビ１０およびＨＤＤビデオレコーダ２０はＨＤＭＩケーブル３０で互いに接続可能に構成されている。
【００１１】
最初に、テレビ１０側の選局装置について説明する。図１に示すように、テレビ１０側の選局装置は選局テーブル設定部１１、選局テーブル記憶部１２、ベンダーコマンド処理部１３、ＣＥＣ通信制御部１４、およびチューナ部１５を備える。選局テーブル設定部１１はテレビ１０の設置場所で受信可能な複数の放送局に対して設定情報を登録しこれら設定情報からなる選局テーブルを設定するために設けられている。選局テーブル記憶部１２は選局テーブル設定部１１により得られた選局テーブルを格納する。チューナ部１５はこの選局テーブル記憶部１２に保持される選局テーブルの各々によって特定される放送局から受信される電波を復調する。ＣＥＣ通信制御部１４はＨＤＭＩケーブル３０で接続されるＨＤＤビデオレコーダ２０と通信を行う。ベンダーコマンド処理部１３はＨＤＤビデオレコーダ２０との通信リンクの確立を検出し、ＣＥＣ通信制御部１４により送受信されるベンダーコマンドを処理する。例えば選局テーブルを要求するＨＤＤビデオレコーダ２０からのベンダーコマンドに対して、ベンダーコマンド処理部１３は選局テーブル記憶部１２に保持される選局テーブルを読み出して、ＨＤＤビデオレコーダ２０側に送ることが可能である。
【００１２】
他方、ＨＤＤビデオレコーダ２０側の選局装置は、ＣＥＣ通信制御部２１、ベンダーコマンド処理部２２、選局テーブル記憶部２３、制御信号発生部２４、およびチューナ部２５を備える。ＣＥＣ通信制御部２１はＨＤＭＩケーブル３０で接続されるテレビ１０と通信を行う。ベンダーコマンド処理部２２はテレビ１０との通信リンクの確立を検出し、ＣＥＣ通信制御部２１により送受信されるベンダーコマンドを処理する。例えばテレビ１０へのベンダーコマンドで選局テーブルを要求し、この要求に対してテレビ１０からベンダーコマンドで送信される選局テーブルを取得し、選局テーブル記憶部２３に格納する。チューナ部２５はこの選局テーブル記憶部２３に保持される選局テーブルの各設定情報によって特定される放送局から受信される電波を復調する。制御信号発生部２４は、ＨＤＤビデオレコーダ２０に選局操作を含む様々な入力を行うために付属する操作部２６に接続される。この制御信号発生部２４は操作部２６の選局操作に応じて選局テーブル記憶部２３内の選局テーブルから設定情報をチューナ部２５に選択させる制御、操作部２６の選局操作に応じて選局テーブル記憶部２３内の選局テーブルをベンダーコマンド処理部２３に修正させる制御、選択テーブル記憶部２３内の選局テーブルを読み出して操作部２６に設けられる表示器ＤＰに表示させる制御等を行う。
【００１３】
尚、ＣＥＣ通信制御部１４および２１はＨＤＭＩケーブルのＣＥＣ信号線３０Ａを介してベンダーコマンドを送受信する。
【００１４】
図２は選局テーブル記憶部１２から選局テーブル記憶部２３に転送される選局テーブルを示す。この選局テーブルは操作部２６に設けられる例えば１２個の選局ボタンにそれぞれ対応する１２個の放送局の選局位置とこれら放送局に対して設定登録される設定情報により構成される。各設定情報は図２に示すようにカテゴリ、ネットワークＩＤ、サービスＩＤ、チャネル番号、スキップ、表示チャネル、および物理チャネルのような項目を含む。例えばカテゴリの項目には、地上アナログ、ＢＳアナログ、ＢＳデジタル、ＣＳ、地上デジタルのいずれかが設定される。ネットワークＩＤおよびサービスＩＤには、ＩＤコードがそれぞれ設定される。チャネル番号および表示チャネルはそれぞれ０〜９９９の範囲で設定さる。スキップには、放送局を順次変更する場合に行う設定情報の飛び越しの有無が設定される。物理チャネルには、ＶＨＦ：１〜１２、ＵＨＦ：１３〜６２、ＢＳ：１〜１５のいずれかが設定される。
【００１５】
図３はビデオレコーダ２０の選局装置で行われるＨＤＭＩ接続処理を示す。このＨＤＭＩ接続処理はＨＤＭＩケーブルで接続されるテレビ１０のような外部機器との通信リンクの確立を検出した場合に行われる。ＨＤＭＩ接続に対応する機器は、互いに異なりテレビ、チューナ、レコーダのような詳細な種類を確認できる機器番号が付与されている。これにより、ビデオレコーダ２０はテレビ１０だけでなく他の外部機器にもインライン方式で接続可能である。ＨＤＭＩ接続処理が開始すると、ステップＳＴ１で接続先機器の全てが上述の機器番号を問合わせることにより確認される。これに続くステップＳＴ２では、選局テーブルが選局テーブル記憶部２３に設定済がチェックされる。選局テーブル記憶部２３に保持される選局テーブルが無いことが確認されると、ステップＳＴ３で選局テーブルがテレビ１０のような接続先機器を指定して要求される。ステップＳＴ４では、この選局テーブルの要求に対して設定済との応答があったかチェックされる。テレビ１０が選局テーブル記憶部２３内に選局テーブルを保持しこれを転送することが可能な状態にあれば、この選局テーブルの要求に対して応答する。この応答があった場合、ステップＳＴ５で選局テーブルがテレビ２０の選局テーブル記憶部１３から取得され、選局テーブル記憶部２３に格納される。この選局テーブルの内容はステップＳＴ６で表示器ＤＰに表示され、ステップＳＴ７で選局テーブルの内容が操作部２６の操作により承認されたかチェックされる。ここで承認があれば、ステップＳＴ８で選局テーブル記憶部２３内の選局テーブルが有効となる。また、ステップＳＴ７で承認がない場合には、ステップＳＴ９で選局テーブルの内容が操作部２６を用いて修正される。この修正結果はステップＳＴ６を再度実行することにより確認される。ステップＳＴ７で修正結果が承認されれば、さらに修正結果の選局テーブルがステップＳＴ８で有効にされ、ＨＤＭＩ接続処理が終了する。尚、ステップＳＴ７およびＳＴ９は、ユーザに余計な負担をかけないために省略されてもよい。
【００１６】
また、選局テーブル記憶部２３に保持される選局テーブルが在ることがステップＳＴ２で確認されると、ステップＳＴ１０〜１２が実行される。但し、テレビ１０以外の機器が接続先として存在しない場合には、ステップＳＴ１０〜１２でなにもせずにＨＤＭＩ接続処理が終了する。テレビ１０以外の外部機器が接続先機器として存在する場合には、選局テーブルの設定要求がステップＳＴ１０でこの接続先機器を指定して行われる。続いて、ステップＳＴ１１で選局テーブルの設定要求に対してこの設定を受け入れる応答があったかチェックされる。この要求を受け入れる応答があった場合には、接続先機器が選局テーブルを保持しないため、ステップＳＴ１２で選局テーブルが選局テーブル記憶部２３から読み出され、選局テーブルの設定を受け入れる応答をした接続先機器を指定して転送される。すなわち、ビデオレコーダ２０の選局テーブルが他の外部機器に配布される。この他の外部機器は、例えばビデオレコーダ２０の再生映像を表示するテレビ、あるいはテレビ１０に表示させる記録映像を再生する第２のビデオレコーダである。
【００１７】
上述の実施形態では、ベンダーコマンド処理部２２がテレビ１０のような外部機器との通信リンクが選局テーブル記憶部２３に保持される選局テーブルの無い状態で確立したことを確認して外部機器に選局テーブルを要求し、この要求に対する応答があった場合に外部機器から選局テーブルを取得して選局テーブル記憶部２３に格納するように構成される。外部機器について放送局の設定登録を行っていれば、外部機器がこの設定登録の結果として作成される選局テーブルを保持しているため、外部機器の選局テーブルが自動的に選局装置の選局テーブル記憶部２３にも格納される。また、ＨＤＭＩケーブルは急速に普及しつつあるため、ホームＡＶネットワークよりも機器接続に利用される機会も多い。従って、放送局の設定登録を選局装置に対して行う必要を無くして、放送局の設定登録に係るユーザの負担をより確実に低減できる。
【００１８】
尚、本発明は上述の実施形態に限定されず、その要旨を逸脱しない範囲で様々に変形可能である。
【図面の簡単な説明】
【００１９】
【図１】本発明の一実施形態に係る選局装置の回路構成を示す図である。
【図２】図１に示すテレビ側選局テーブル記憶部からビデオレコーダ側選局テーブル記憶部に転送される選局テーブルを示す図である。
【図３】図１に示すビデオレコーダの選局装置で行われるＨＤＭＩ接続処理を示す図である。
【符号の説明】
【００２０】
１０…テレビ、２０…ＨＤＤビデオレコーダ、２１…ＣＥＣ通信制御部、２１…ベンダーコマンド処理部、２３…選局テーブル記憶部、２４…制御信号発生部、２５…チューナ部、２６…操作部、３０…ＨＤＭＩケーブル、３０Ａ…ＣＥＣ信号線。
【図１】
2009016955.tif 000003
【図２】
2009016955.tif 000004
【図３】
2009016955.tif 000005